(57)【要約】【課題】ユーザによる受付端末装置の占有時間を短縮化することができる画像処理システムを提供する。【解決手段】現像装置２が、ＲＡＷ画像データを現像することにより現像データを生成する現像手段（現像部２３）と、生成された現像データを受付端末装置１に送信する現像データ送信手段（通信部２２）とを備える。このように、比較的長い時間がかかるＲＡＷ画像データの現像処理を、受付端末装置１とは別個に設けられた現像装置２で行うことにより、受付端末装置１における画像データに対する処理時間を短縮することができるので、ユーザによる受付端末装置１の占有時間を短縮化することができる。【選択図】          図１
2010081219.tif 000002
【特許請求の範囲】
【請求項１】
ユーザによる操作を受け付けるための受付端末装置と、上記受付端末装置に対して通信可能であり、ＲＡＷ画像データを現像するための現像装置とを備え、
上記現像装置が、ＲＡＷ画像データを現像することにより現像データを生成する現像手段と、生成された現像データを上記受付端末装置に送信する現像データ送信手段とを備えたことを特徴とする画像処理システム。
【請求項２】
上記受付端末装置が、ＲＡＷ画像データを入力するためのＲＡＷ画像データ入力手段と、入力されたＲＡＷ画像データを上記現像装置に送信するＲＡＷ画像データ送信手段とを備え、
上記現像手段が、上記受付端末装置から受信したＲＡＷ画像データを現像することにより現像データを生成することを特徴とする請求項１に記載の画像処理システム。
【請求項３】
上記現像装置が、ＲＡＷ画像データを入力するためのＲＡＷ画像データ入力手段を備え、
上記現像手段が、入力されたＲＡＷ画像データを現像することにより現像データを生成することを特徴とする請求項１に記載の画像処理システム。
【請求項４】
上記受付端末装置が、上記現像装置から受信した現像データに対して画像補正を行うための画像補正手段を備えたことを特徴とする請求項１〜３のいずれかに記載の画像処理システム。
【請求項５】
上記受付端末装置に対して通信可能であり、現像データに基づく画像をプリントするためのプリント装置を備え、
上記受付端末装置が、画像補正後の現像データを上記プリント装置に送信する補正画像データ送信手段を備えたことを特徴とする請求項４に記載の画像処理システム。
【発明の詳細な説明】
【技術分野】
【０００１】
本発明は、ユーザによる操作を受け付けるための受付端末装置と、上記受付端末装置に対して通信可能であり、ＲＡＷ画像データを現像するための現像装置とを備えた画像処理システムに関するものである。
【背景技術】
【０００２】
従来の一般的なデジタルカメラでは、撮影を行った場合に、撮影したままの生データであるＲＡＷ画像データが、ＪＰＥＧやＢＭＰなどの画像フォーマットで保存されるようになっている。しかし、ＪＰＥＧやＢＭＰなどの画像フォーマットでは、ホワイトバランス（色温度）などの特定の画像補正を行った場合に画質が劣化するなどの問題があるため、近年におけるデジタル一眼レフカメラなどの高機能カメラでは、撮影した画像データをＲＡＷ画像データのまま保存できるような機能を備えたものが増加している。このようなＲＡＷ画像データに関する技術の一例として、例えば下記特許文献１及び２に開示されているような技術が知られている。
【０００３】
一方、近年における写真店などの店舗の中には、ユーザによる操作を受け付けるための受付端末装置が設置されている店舗がある。このような店舗では、デジタルカメラで撮影した画像データが記憶されているメディア（例えば、ＳＤカードやメモリスティックなど）をユーザが受付端末装置にセットすることにより、当該メディアから画像データを読み出して受付端末装置の表示部に表示させることができるようになっている。ユーザは、受付端末装置を用いてプリントしたい画像データを選択して注文することにより、所望の写真プリントを得ることができる。
【０００４】
【特許文献１】特開２００７−２２１６８５号公報
【特許文献２】特開２００６−３４５３１９号公報
【発明の開示】
【発明が解決しようとする課題】
【０００５】
ここで、ＲＡＷ画像データが記憶されているメディアを受付可能な受付端末装置を店舗に設置することが考えられる。すなわち、ＲＡＷ画像データをＪＰＥＧやＢＭＰなどの画像フォーマットに変換する現像処理を実行可能な受付端末装置を設置すれば、撮影した画像データがＲＡＷ画像データのままメディアに記憶されている場合であっても、受付端末装置において当該メディアからＲＡＷ画像データを読み出し、当該受付端末装置にてＲＡＷ画像データに基づく現像処理を実行した後、写真プリントを得ることができる。
【０００６】
しかしながら、ＲＡＷ画像データをＪＰＥＧやＢＭＰなどの画像フォーマットに変換する現像処理には、比較的長い時間がかかるという問題がある。そのため、このような受付端末装置を店舗に設置した場合には、ＲＡＷ画像データを現像しようとするユーザによる受付端末装置の占有時間が長くなり、顧客の回転率が悪くなるといった問題がある。
【０００７】
本発明は、上記実情に鑑みてなされたものであり、ユーザによる受付端末装置の占有時間を短縮化することができる画像処理システムを提供することを目的とする。
【課題を解決するための手段】
【０００８】
第１の本発明に係る画像処理システムは、ユーザによる操作を受け付けるための受付端末装置と、上記受付端末装置に対して通信可能であり、ＲＡＷ画像データを現像するための現像装置とを備え、上記現像装置が、ＲＡＷ画像データを現像することにより現像データを生成する現像手段と、生成された現像データを上記受付端末装置に送信する現像データ送信手段とを備えたことを特徴とする。
【０００９】
このような構成によれば、受付端末装置に対して通信可能な現像装置においてＲＡＷ画像データを現像し、生成された現像データを受付端末装置に送信することができる。このように、比較的長い時間がかかるＲＡＷ画像データの現像処理を、受付端末装置とは別個に設けられた現像装置で行うことにより、受付端末装置における画像データに対する処理時間を短縮することができるので、ユーザによる受付端末装置の占有時間を短縮化することができる。
【００１０】
第２の本発明に係る画像処理システムは、上記受付端末装置が、ＲＡＷ画像データを入力するためのＲＡＷ画像データ入力手段と、入力されたＲＡＷ画像データを上記現像装置に送信するＲＡＷ画像データ送信手段とを備え、上記現像手段が、上記受付端末装置から受信したＲＡＷ画像データを現像することにより現像データを生成することを特徴とする。
【００１１】
このような構成によれば、受付端末装置に入力されたＲＡＷ画像データを現像装置に送信し、当該現像装置においてＲＡＷ画像データを現像することにより生成された現像データを受付端末装置に送信することができる。これにより、ユーザは受付端末装置に対する操作を行うだけでＲＡＷ画像データを現像することができ、現像装置に対する操作を行う必要がないので、ユーザにとって利便性が向上する。
【００１２】
第３の本発明に係る画像処理システムは、上記現像装置が、ＲＡＷ画像データを入力するためのＲＡＷ画像データ入力手段を備え、上記現像手段が、入力されたＲＡＷ画像データを現像することにより現像データを生成することを特徴とする。
【００１３】
このような構成によれば、現像装置に入力されたＲＡＷ画像データを当該現像装置において現像し、生成された現像データを受付端末装置に送信することができる。このように、現像データが現像装置から受付端末装置に自動的に送信されることにより、現像処理後に現像データを送信する作業を別途行なう必要がないので、ユーザにとって利便性が向上する。
【００１４】
第４の本発明に係る画像処理システムは、上記受付端末装置が、上記現像装置から受信した現像データに対して画像補正を行うための画像補正手段を備えたことを特徴とする。
【００１５】
このような構成によれば、現像装置から受信した現像データに対して、受付端末装置において画像補正を行うことができる。したがって、例えば受付端末装置に対するユーザの操作などに基づいて、当該受付端末装置において現像データに対する画像補正を行うことができ、画像補正後の現像データを受付端末装置から他の装置に送信することができる。
【００１６】
第５の本発明に係る画像処理システムは、上記受付端末装置に対して通信可能であり、現像データに基づく画像をプリントするためのプリント装置を備え、上記受付端末装置が、画像補正後の現像データを上記プリント装置に送信する補正画像データ送信手段を備えたことを特徴とする。
【００１７】
このような構成によれば、画像補正後の現像データを受付端末装置からプリント装置に送信し、当該プリント装置においてプリントを行うことができる。
【発明の効果】
【００１８】
本発明によれば、比較的長い時間がかかるＲＡＷ画像データの現像処理を、受付端末装置とは別個に設けられた現像装置で行うことにより、受付端末装置における画像データに対する処理時間を短縮することができるので、ユーザによる受付端末装置の占有時間を短縮化することができる。
【発明を実施するための最良の形態】
【００１９】
（第１実施形態）
図１は、本発明の第１実施形態に係る画像処理システムの一例を示したブロック図である。この画像処理システムには、受付端末装置１、現像装置２及びプリント装置３が備えられ、これらの装置は、例えば写真店などの店舗に設置される。
【００２０】
受付端末装置１は、プリントサービスを利用するユーザによる操作を受け付けるための装置であり、制御部１１、通信部１２、操作表示部１３及びＲＡＷ画像データ入力部１４を備えている。制御部１１は、例えばＣＰＵを備えており、当該制御部１１がコンピュータプログラムを実行することにより、画像補正部１１１などの各種機能ブロックとして機能するようになっている。通信部１２は、現像装置２及びプリント装置３などの他の装置との間で、有線又は無線により通信を行う。
【００２１】
操作表示部１３は、例えばタッチパネル式の表示装置により構成され、ユーザが操作を行うための操作部や、ユーザに対する表示を行うための表示部として機能する。ただし、上記のような構成に限らず、操作部及び表示部が別個に設けられたような構成であってもよい。
【００２２】
ＲＡＷ画像データ入力部１４は、ＲＡＷ画像データを入力するためのＲＡＷ画像データ入力手段であり、この例では、ＲＡＷ画像データが記憶されているメディア４（例えば、ＳＤカードやメモリスティックなど）をセットすることにより、当該メディア４からＲＡＷ画像データを読み込むことができるようになっている。ただし、ＲＡＷ画像データ入力部１４としては、例えばデジタルカメラを直接接続する構成や、無線通信によりＲＡＷ画像データを読み込む構成など、他の各種構成を採用することができる。
【００２３】
ＲＡＷ画像データには、Ｅｘｉｆ(Exchangeable Image File Format)データが付加されている。当該Ｅｘｉｆデータには、撮影日時のデータの他、ＲＡＷ画像データの縮小画像データからなるサムネイル画像データなどが含まれている。したがって、ＲＡＷ画像データ入力部１４に入力されたＲＡＷ画像データからＥｘｉｆデータを抽出することにより、上記サムネイル画像データを操作表示部１３に表示させることができる。ユーザは、操作表示部１３に表示されたサムネイル画像データを確認しつつ操作を行うことにより、画像補正の態様を設定したり、プリント注文を行ったりすることができる。
【００２４】
現像装置２は、ＲＡＷ画像データを現像するための装置であり、制御部２１、通信部２２及び現像部２３を備えている。制御部２１は、例えばＣＰＵを備えており、当該制御部２１がコンピュータプログラムを実行することにより、画像補正部２１１などの各種機能ブロックとして機能するようになっている。通信部２２は、受付端末装置１及びプリント装置３などの他の装置との間で、有線又は無線により通信を行う。
【００２５】
現像部２３は、ＲＡＷ画像データを現像することにより現像データを生成する現像手段であり、ＲＡＷ画像データをＪＰＥＧやＢＭＰなどの画像フォーマットに変換する処理を行う。この現像部２３による現像処理は、ＲＡＷ画像データをよりデータサイズの小さい画像フォーマットに変換するものであれば、ＪＰＥＧやＢＭＰに限らず、他の画像フォーマットに変換するような構成であってもよい。
【００２６】
本実施形態では、受付端末装置１のＲＡＷ画像データ入力部１４に入力されたＲＡＷ画像データが、通信部１２，２２を介して現像装置２に送信され、現像装置２において受付端末装置１から受信したＲＡＷ画像データが、現像部２３で現像されるようになっている。この場合、受付端末装置１の通信部１２は、入力されたＲＡＷ画像データを現像装置２に送信するＲＡＷ画像データ送信手段を構成している。
【００２７】
画像補正部２１１は、ＲＡＷ画像データ又は現像データに対して画像補正を行う。この画像補正部２１１では、例えばＲＡＷ画像データに対してホワイトバランス（色温度）を補正する処理などを実行することができる。ＲＡＷ画像データに対する画像補正が行われる場合には、画像補正後のＲＡＷ画像データが現像部２３により現像される。一方、現像データに対する画像補正は、現像部２３の現像処理により生成された現像データに対して行われる。
【００２８】
現像部２３において生成され、必要に応じて画像補正が行われた現像データは、通信部２２，１２を介して現像装置２から受付端末装置１に送信される。この場合、現像装置２の通信部２２は、生成された現像データを受付端末装置１に送信する現像データ送信手段を構成している。
【００２９】
受付端末装置１の画像補正部１１１は、ＲＡＷ画像データ又は現像データに対して画像補正を行う。この画像補正部１１１では、例えば現像データに対してγ補正、濃度補正、赤目補正、逆光補正などの各種画像補正を行うことができる。この画像補正部１１１による画像補正は、ユーザによる操作表示部１３の操作に基づいて行われるようになっていてもよい。ＲＡＷ画像データに対する画像補正が行われる場合には、画像補正後のＲＡＷ画像データが受付端末装置１から現像装置２に送信される。一方、現像データに対する画像補正は、現像装置２から受信した現像データに対して行われる。
【００３０】
プリント装置３は、現像データに基づく画像をプリントするための装置であり、制御部３１、通信部３２及び画像形成部３３を備えている。制御部３１は、例えばＣＰＵを備えており、当該制御部３１がコンピュータプログラムを実行することにより、各種機能ブロックとして機能するようになっている。通信部３２は、受付端末装置１及び現像装置２などの他の装置との間で、有線又は無線により通信を行う。
【００３１】
この例では、現像装置２から受付端末装置１に送信され、必要に応じて画像補正が行われた後の現像データが、通信部１２，３２を介して受付端末装置１からプリント装置３に送信され、その現像データに基づいて画像形成部３３が用紙に画像を形成するようになっている。この場合、現像装置２の通信部２２は、画像補正後の現像データをプリント装置３に送信する補正画像データ送信手段を構成している。画像形成部３３が用紙に画像を形成する方式としては、例えばインクジェット式、熱転写式、レーザー式又は銀塩式などの各種方式を採用することができる。
【００３２】
ただし、現像データが受付端末装置１からプリント装置３に送信されるような構成に限らず、通信部２２，３２を介して現像装置２からプリント装置３に送信されるような構成であってもよい。この場合、受付端末装置１の操作表示部１３に対するユーザ操作に基づくデータが、受付端末装置１から現像装置２に送信され、そのデータに基づいて現像装置２の画像補正部２１１により現像データに対する画像補正が行われ、その画像補正後の現像データが現像装置２からプリント装置３に送信されるような構成であってもよい。
【００３３】
図２は、図１の受付端末装置１の制御部１１により行われる処理の一例を示したフローチャートである。図３は、図１の現像装置２の制御部２１により行われる処理の一例を示したフローチャートである。
【００３４】
受付端末装置１のＲＡＷ画像データ入力部１４にＲＡＷ画像データが入力された場合には（ステップＳ１０１でＹｅｓ）、そのＲＡＷ画像データが通信部１２，２２を介して現像装置２に送信される（ステップＳ１０２）。これにより、ＲＡＷ画像データを受信した現像装置２において、当該ＲＡＷ画像データの現像が開始され、現像データが生成される。
【００３５】
ユーザは、操作表示部１３を操作することにより、入力したＲＡＷ画像データに基づくプリントの注文を行うことができ、プリント注文が行われた場合には（ステップＳ１０３でＹｅｓ）、その注文に応じた現像データの送信を要求する信号が現像装置２に送信される（ステップＳ１０４）。当該送信要求の際に、現像装置２において対応する現像データが既に生成されている場合には、現像装置２から当該現像データが受信され（ステップ１０５でＹｅｓ）、プリント注文時に画像補正が設定されていれば（ステップＳ１０６でＹｅｓ）、その設定に基づいて現像データに対する画像補正が行われた後（ステップＳ１０７）、画像補正後の現像データが通信部１２，３２を介してプリント装置３に送信される（ステップＳ１０８）。なお、プリント注文時に画像補正が設定されていない場合には（ステップＳ１０６でＮｏ）、受信した現像データが画像補正されることなくプリント装置３に送信される（ステップＳ１０８）。
【００３６】
一方、上記送信要求の際に、現像装置２において対応する現像データがまだ生成されていない場合には、現像データの受信待ち状態となり、現像データを受信した時点で（ステップＳ１０５でＹｅｓ）、必要に応じて画像補正が行われた後（ステップＳ１０６，Ｓ１０７）、現像データがプリント装置３に送信される（ステップＳ１０８）。上記受信待ち状態において、受付端末装置１は、ＲＡＷ画像データ入力部１４からのＲＡＷ画像データの入力、及び、操作表示部１３の操作に基づくプリント注文をそれぞれ受付可能となっている。すなわち、上記受信待ち状態においてＲＡＷ画像データ入力部１４にＲＡＷ画像データが入力された場合には（ステップＳ１０１でＹｅｓ）、そのＲＡＷ画像データが通信部１２，２２を介して現像装置２に送信され（ステップＳ１０２）、プリント注文が行われた場合には（ステップＳ１０３でＹｅｓ）、その注文に応じた現像データの送信を要求する信号が現像装置２に送信されるようになっている（ステップＳ１０４）。
【００３７】
現像装置２は、受付端末装置１からＲＡＷ画像データを受信した場合（ステップＳ２０１でＹｅｓ）、そのＲＡＷ画像データに対する画像補正（例えば、ホワイトバランスなど）が設定されていれば（ステップＳ２０２でＹｅｓ）、当該ＲＡＷ画像データに対する画像補正を行い（ステップＳ２０３）、画像補正後のＲＡＷ画像データを現像することにより現像データを生成する（ステップＳ２０４）。一方、ＲＡＷ画像データに対する画像補正が設定されていない場合には（ステップＳ２０２でＮｏ）、当該ＲＡＷ画像データを画像補正することなく現像することにより現像データを生成する（ステップＳ２０４）。
【００３８】
その後、当該現像データの送信要求が既に受付端末装置１から行われている場合には（ステップＳ２０５でＹｅｓ）、生成された現像データが通信部２２，１２を介して受付端末装置１に送信される（ステップＳ２０６）。一方、現像データの送信要求がまだ受付端末装置１から行われていない場合には（ステップＳ２０５でＮｏ）、送信要求待ち状態となり、送信要求の信号を受信した時点で（ステップＳ２０５でＹｅｓ）、生成されている現像データが通信部２２，１２を介して受付端末装置１に送信される（ステップＳ２０６）。上記送信要求待ち状態において、現像装置２は、受付端末装置１からのＲＡＷ画像データの受信を受付可能となっている。すなわち、上記送信要求待ち状態において受付端末装置１からＲＡＷ画像データを受信した場合には（ステップＳ２０１でＹｅｓ）、そのＲＡＷ画像データに対して必要に応じて画像補正が行われた後（ステップＳ２０２，Ｓ２０３）、ＲＡＷ画像データが現像されることにより現像データが生成されるようになっている（ステップＳ２０４）。
【００３９】
本実施形態では、受付端末装置１に対して通信可能な現像装置２においてＲＡＷ画像データを現像し、生成された現像データを受付端末装置１に送信することができる。このように、比較的長い時間がかかるＲＡＷ画像データの現像処理を、受付端末装置１とは別個に設けられた現像装置２で行うことにより、受付端末装置１における画像データに対する処理時間を短縮することができるので、ユーザによる受付端末装置１の占有時間を短縮化することができる。
【００４０】
また、本実施形態では、現像装置２から受信した現像データに対して、受付端末装置１において画像補正を行うことができる。したがって、例えば受付端末装置１に対するユーザの操作などに基づいて、当該受付端末装置１において現像データに対する画像補正を行うことができ、画像補正後の現像データを受付端末装置１から他の装置（この例では、プリント装置３）に送信することができる。
【００４１】
（第２実施形態）
図４は、本発明の第２実施形態に係る画像処理システムの一例を示したブロック図である。本実施形態では、ＲＡＷ画像データが、受付端末装置１ではなく現像装置２に入力されるようになっている点のみが第１実施形態とは異なり、他の構成については第１実施形態と同様であるので、同様の構成については図に同一符号を付して説明を省略することとする。
【００４２】
本実施形態では、受付端末装置１ではなく現像装置２に、ＲＡＷ画像データ入力部２４が備えられている。ＲＡＷ画像データ入力部２４は、ＲＡＷ画像データを入力するためのＲＡＷ画像データ入力手段であり、この例では、ＲＡＷ画像データが記憶されているメディア４（例えば、ＳＤカードやメモリスティックなど）をセットすることにより、当該メディア４からＲＡＷ画像データを読み込むことができるようになっている。ただし、ＲＡＷ画像データ入力部２４としては、例えばデジタルカメラを直接接続する構成や、無線通信によりＲＡＷ画像データを読み込む構成など、他の各種構成を採用することができる。
【００４３】
ＲＡＷ画像データ入力部２４に入力されたＲＡＷ画像データは、画像補正部２１１により必要に応じて画像補正が行われ、現像部２３で現像されることにより現像データが生成される。そして、生成された現像データが通信部２２，１２を介して受付端末装置１に送信されるようになっている。なお、現像装置２に操作部（図示せず）が設けられた構成を採用し、当該操作部に対するユーザ操作に基づいて画像補正部２１１により画像補正が行われるようになっていてもよい。このような構成によれば、ユーザが受付端末装置１に対して操作を行う必要がなくなるため、ユーザによる受付端末装置の占有時間を効果的に短縮化することができる。
【００４４】
図５は、図４の現像装置２の制御部２１により行われる処理の一例を示したフローチャートである。図６は、図４の受付端末装置１の制御部１１により行われる処理の一例を示したフローチャートである。
【００４５】
現像装置２のＲＡＷ画像データ入力部２４にＲＡＷ画像データが入力された場合には（ステップＳ３０１でＹｅｓ）、そのＲＡＷ画像データに対する画像補正（例えば、ホワイトバランスなど）が設定されていれば（ステップＳ３０２でＹｅｓ）、当該ＲＡＷ画像データに対する画像補正を行い（ステップＳ３０３）、画像補正後のＲＡＷ画像データを現像することにより現像データを生成する（ステップＳ３０４）。一方、ＲＡＷ画像データに対する画像補正が設定されていない場合には（ステップＳ３０２でＮｏ）、当該ＲＡＷ画像データを画像補正することなく現像することにより現像データを生成する（ステップＳ３０４）。
【００４６】
その後、当該現像データの送信要求が既に受付端末装置１から行われている場合には（ステップＳ３０５でＹｅｓ）、生成された現像データが通信部２２，１２を介して受付端末装置１に送信される（ステップＳ３０６）。一方、現像データの送信要求がまだ受付端末装置１から行われていない場合には（ステップＳ３０５でＮｏ）、送信要求待ち状態となり、送信要求の信号を受信した時点で（ステップＳ３０５でＹｅｓ）、生成されている現像データが通信部２２，１２を介して受付端末装置１に送信される（ステップＳ２０６）。上記送信要求待ち状態において、現像装置２は、ＲＡＷ画像データ入力部２４からのＲＡＷ画像データの入力を受付可能となっている。すなわち、上記送信要求待ち状態においてＲＡＷ画像データ入力部２４にＲＡＷ画像データが入力された場合には（ステップＳ３０１でＹｅｓ）、そのＲＡＷ画像データに対して必要に応じて画像補正が行われた後（ステップＳ３０２，Ｓ３０３）、ＲＡＷ画像データが現像されることにより現像データが生成されるようになっている（ステップＳ３０４）。
【００４７】
なお、現像装置２のＲＡＷ画像データ入力部２４にＲＡＷ画像データが入力された場合には、そのＲＡＷ画像データからＥｘｉｆデータが抽出され、当該Ｅｘｉfデータが通信部２２，１２を介して受付端末装置１に送信されるようになっている。したがって、受付端末装置１においては、受信したＥｘｉｆデータに含まれるサムネイル画像データを操作表示部１３に表示させることができる。これにより、ユーザは、操作表示部１３に表示されたサムネイル画像データを確認しつつ操作を行うことにより、画像補正の態様を設定したり、プリント注文を行ったりすることができる。
【００４８】
受付端末装置１においてユーザが操作表示部１３を操作することにより、プリント注文が行われた場合には（ステップＳ４０１でＹｅｓ）、その注文に応じた現像データの送信を要求する信号が現像装置２に送信される（ステップＳ４０２）。当該送信要求の際に、現像装置２において対応する現像データが既に生成されている場合には、現像装置２から当該現像データが受信され（ステップ４０３でＹｅｓ）、プリント注文時に画像補正が設定されていれば（ステップＳ４０４でＹｅｓ）、その設定に基づいて現像データに対する画像補正が行われた後（ステップＳ４０５）、画像補正後の現像データが通信部１２，３２を介してプリント装置３に送信される（ステップＳ４０６）。なお、プリント注文時に画像補正が設定されていない場合には（ステップＳ４０４でＮｏ）、受信した現像データが画像補正されることなくプリント装置３に送信される（ステップＳ４０６）。
【００４９】
一方、上記送信要求の際に、現像装置２において対応する現像データがまだ生成されていない場合には、現像データの受信待ち状態となり、現像データを受信した時点で（ステップＳ４０３でＹｅｓ）、必要に応じて画像補正が行われた後（ステップＳ４０４，Ｓ４０５）、現像データがプリント装置３に送信される（ステップＳ４０６）。上記受信待ち状態において、受付端末装置１は、操作表示部１３の操作に基づくプリント注文を受付可能となっている。すなわち、上記受信待ち状態においてプリント注文が行われた場合には（ステップＳ４０１でＹｅｓ）、その注文に応じた現像データの送信を要求する信号が現像装置２に送信されるようになっている（ステップＳ４０２）。
【００５０】
以上の実施形態では、受付端末装置１、現像装置２及びプリント装置３が、それぞれ単独の装置として構成されている場合について説明したが、このような構成に限らず、受付端末装置１、現像装置２及びプリント装置３の少なくとも１つが、他の装置の一部を構成してもよい。例えば、現像装置２が、プリント装置３のサーバとして機能するコントロール端末などに備えられたような構成であってもよい。
【図面の簡単な説明】
【００５１】
【図１】本発明の第１実施形態に係る画像処理システムの一例を示したブロック図である。
【図２】図１の受付端末装置の制御部により行われる処理の一例を示したフローチャートである。
【図３】図１の現像装置の制御部により行われる処理の一例を示したフローチャートである。
【図４】本発明の第２実施形態に係る画像処理システムの一例を示したブロック図である。
【図５】図４の現像装置の制御部により行われる処理の一例を示したフローチャートである。
【図６】図４の受付端末装置の制御部により行われる処理の一例を示したフローチャートである。
【符号の説明】
【００５２】
１    受付端末装置
２    現像装置
３    プリント装置
４    メディア
１１    制御部
１２    通信部
１３    操作表示部
１４    ＲＡＷ画像データ入力部
２１    制御部
２２    通信部
２３    現像部
２４    ＲＡＷ画像データ入力部
３１    制御部
３２    通信部
３３    画像形成部
１１１    画像補正部
２１１    画像補正部
【図１】
2010081219.tif 000003
【図２】
2010081219.tif 000004
【図３】
2010081219.tif 000005
【図４】
2010081219.tif 000006
【図５】
2010081219.tif 000007
【図６】
2010081219.tif 000008